(57)【要約】【課題】  簡易な方法でかつ性能劣化を生ずることなく携帯電話装置を構成する各回路ブロックの動作異常を検出することが可能な手段を提供する。【解決手段】  電池１０７装着時に、携帯電話装置の制御部１０５は、Ａ／Ｄコンバータ１０６９、制御回路１０６２を介して、電池電圧データを取り込み、データＰとして記憶する。次に、制御部１０５は、変調部をＯＦＦとしたままで、送信電力増幅部（ＰＡ）のみを電源ＯＮとして、再度Ａ／Ｄコンバータ１０６９、制御回路１０６２を介して、電池電圧データを取り込み、演算処理により、記憶したデータＰから該取り込んだＡＤデータを減算して△Ｖを求める。そして、制御部１０５は、あらかじめ記憶されている比較電圧値Ｖ１とＶ２（Ｖ１＞Ｖ２）の範囲から外れているときには、送信動作を停止し、充電動作を停止し、携帯電話装置への供給電源をＯＦＦとする。【選択図】        図４
2005033655.tif 000002
【特許請求の範囲】
【請求項１】
充電可能な電池を電源とし、消費電流の異なる複数の動作モードが設定可能な携帯電話装置において、
特定の動作モードを実行したときと該特定の動作モードを実行しないときの前記電池から携帯電話装置に供給される電圧の差を検出する電圧差分検出手段と、
前記電圧差分検出手段により検出された前記電圧の差が、所定の範囲外であるとき、前記特定の動作モードを停止する手段を備えていることを特徴とする携帯電話装置。
【請求項２】
前記携帯電話装置はＴＤＭＡ方式のデジタル携帯電話装置であり、前記特定の動作モードを実行したときと該特定の動作モードを実行しないときの前記携帯電話装置に供給される電圧の差は、前記携帯電話機が通信を行っている際の送信スロットにおける送信モード時の電圧と受信スロットにおける受信モード時の電圧の差であることを特徴とする請求項１に記載の携帯電話装置。
【請求項３】
受信スロットと送信スロットの両方で前記電源電圧をデジタルデータに変換するＡＤコンバータを起動し、受信スロットと送信スロットの両方のタイミングで前記デジタルデータによる電池電圧の差分を監視する手段を有していることを特徴とする請求項２に記載の携帯電話装置。
【請求項４】
前記特定の動作モードは、前記電池装着時に高周波信号を入力しないで前記携帯電話機の送信部を起動するモードであり、前記電圧差分検出手段により検出された前記電圧の差が、所定の範囲外であるとき、前記送信部の動作を停止することを特徴とする請求項１に記載の携帯電話装置。
【請求項５】
前記特定の動作モードは、前記電池装着時に特定の照明手段を起動するモードであり、前記電圧差分検出手段により検出された前記電圧の差が、所定の範囲外であるとき、前記特定の照明手段の動作を停止することを特徴とする請求項１に記載の携帯電話装置。
【請求項６】
前記特定の動作モードは、特定の回路ブロックを起動するードであり、前記電圧差分検出手段により検出された前記電圧の差が、所定の範囲外であるとき、前記特定の回路ブロックの動作を停止することを特徴とする請求項１に記載の携帯電話装置。
【請求項７】
前記電圧差分検出手段により検出された前記電圧の差が、所定の範囲外であるとき、前記電池に対する充電を停止する手段を備えていることを特徴とする請求項１〜６のいずれかに記載の携帯電話装置。
【請求項８】
前記電圧差分検出手段により検出された前記電圧の差が、所定の範囲外であるとき、前記携帯電話装置への供給電源をＯＦＦとする手段を備えていることを特徴とする請求項７に記載の携帯電話装置。
【請求項９】
前記電池には該電池を遮断制御する電池保護回路制御部が備えられており、前記電圧差分検出手段により検出された前記電圧の差が、所定の範囲外であるとき、前記電池保護回路制御部を制御して前記電池の電源出力を遮断する手段を備えていることを特徴とする請求項１〜８のいずれかに記載の携帯電話装置。
【請求項１０】
前記携帯電話装置本体に、前記電池の電池保護回路制御部を制御する第一の端子を有し、前記電池に外部から前記電池保護回路制御部を制御可能な第二の端子を有し、前記携帯電話装置本体に前記電池を装着したときに前記第一の端子と前記第二の端子が接続されることを特徴とする請求項９に記載の携帯電話装置。
【請求項１１】
前記電池に、該電池の温度を検出して前記保護回路制御部を制御するために該電池内に設けられているサーミスタ端子を有し、前記電圧差分検出手段により検出された前記電圧の差が、所定の範囲外であるとき、前記電池保護回路制御部を制御する信号は、前記サーミスタ端子に供給されることを特徴とする請求項９に記載の携帯電話装置。
【請求項１２】
充電機能を有する電池を電源とし、消費電流の異なる複数の動作モードが設定可能な携帯電話装置の異常検出方法において、
特定の動作モードを実行したときと該特定の動作モードを実行しないときの前記電池から携帯電話装置に供給される電圧の差を検出し、該検出した電圧の差が、所定の範囲外であるとき、前記特定の動作モードに異常が発生していると判定することを特徴とする携帯電話装置の異常検出方法。
【請求項１３】
前記携帯電話装置はＴＤＭＡ方式のデジタル携帯電話装置であり、前記特定の動作モードを実行したときと該特定の動作モードを実行しないときの前記携帯電話装置に供給される電圧の差は、前記携帯電話機が通信を行っている際の送信スロットにおける送信モード時の電圧と受信スロットにおける受信モード時の電圧の差であることを特徴とする請求項１７に記載の携帯電話装置の異常検出方法。
【請求項１４】
受信スロットと送信スロットの両方で前記電源電圧をデジタルデータに変換するＡＤコンバータを起動し、受信スロットと送信スロットの両方のタイミングで前記デジタルデータによる電池電圧の差分を監視することを特徴とする請求項１８に記載の携帯電話装置の異常検出方法。
【請求項１５】
前記特定の動作モードは、前記電池装着時に高周波信号を入力しないで前記携帯電話機の送信部を起動するモードであり、前記検出した電圧の差が、所定の範囲外であるとき、前記送信部の動作モードに異常が発生していると判定することを特徴とする請求項１７に記載の携帯電話装置の異常検出方法。
【請求項１６】
前記特定の動作モードは、前記電池装着時に特定の照明手段を起動するモードであり、前記検出した電圧の差が、所定の範囲外であるとき、前記特定の照明手段の動作モードに異常が発生していると判定することを特徴とする請求項１７に記載の携帯電話装置の異常検出方法。
【請求項１７】
前記特定の動作モードは、特定の回路ブロックを起動するードであり、前記検出した電圧の差が、所定の範囲外であるとき、前記特定の回路ブロックの動作モードに異常が発生していると判定することを特徴とする請求項１７に記載の携帯電話装置の異常検出方法。
【発明の詳細な説明】
【技術分野】
【０００１】
本発明は、携帯電話装置に関し、特に携帯電話装置の各回路ブロックの故障に伴う発熱等の異常を未然に防止する技術に関する。
【背景技術】
【０００２】
携帯電話装置は、図１に示すように電池や回路基板を内蔵した２つのケース１，２をヒンジ３により折り畳み構成とし、一方のケース１の表面にキー操作部およびマイク等を、背面にはバッテリーパック等が配置され、他方のケース２の表面には表示部およびスピーカが、背面にはアンテナ、カメラ等が配置されている。また、キー操作部の各キーを照明するための複数のＬＥＤ、赤外線による通信を可能にする赤外線発生素子あるいはカメラのフラッシュライト等を備えているものもある。
【０００３】
図２は、図１に示すような携帯電話装置の回路ブロック構成の一例を示しており、アンテナ１０１は無線部１０２に接続され、無線部１０２の出力はアナログベースバンド部１０３に接続され、アナログベースバンド部１０３は、マイク１１１とスピーカ１１２とレシーバ１１３とデジタルベースバンド部１０４に接続されている。ＡＣアダプタ１０８は電源部１０６に接続され、電池１０７の充電時にＡＣ１００ＶをＤＣ電圧に変換して電力を供給する。
【０００４】
電池１０７は電源部１０６に接続され、電源部１０６より、無線部１０２とアナログベースバンド部１０３とデジタルベースバンド部１０４と制御部１０５とキー操作部１０９と表示部１１０と撮影部１１４と赤外線発生用ＩＲ部１１５に電源が供給される。制御部１０５は、無線部１０２とアナログベースバンド部１０３とデジタルベースバンド部１０４とキー操作部１０９と電源部１０６と撮影部１１４とＩＲ部１１５に接続され、それぞれの制御を行う。
【０００５】
このような携帯電話装置において、各回路ブロック構成のいずれかにおいて故障を起こして、結果として過大な電流が流れるような場合には、発熱等の好ましくない現象が発生する虞がある。
【０００６】
従来の携帯電話装置では、各種の保護回路により、このような現象が発生しないように工夫されているが、十分といえないか、乃至は、ヒューズ等の挿入により、小型化の阻害や、コストアップとなり、また、ヒューズ挿入の場合、電源ラインでヒューズの抵抗値による損失が発生して性能劣化を生ずる。
【０００７】
また、携帯電話装置は電源として電池（充電可能な二次電池）を用いており、電池の電圧が低下すると動作モードによっては動作可能な場合と異常動作を発生する場合が生じるため、一律に電池電圧を監視する方式では電池容量を十分に活用することができないため、特許文献１では、電池電圧を検出する手段と、電池電圧の閾値が動作モード毎に格納されたメモリと、各モードで動作している時に、電池電圧の検出値と当該動作モードに対応する閾値とを比較して、電池電圧値が閾値を下回ったときに当該動作中のモードの機能を停止する制御手段を備えることにより上記問題の解消を図っている。
【０００８】
【特許文献１】特開平９−８８８０号公報
【発明の開示】
【発明が解決しようとする課題】
【０００９】
特許文献１では、電池電圧の低下を動作モード毎に監視することによって電池の容量を効率的に利用することをその技術課題としているが、携帯電話装置の各回路ブロックの故障に伴う異常動作を検出するものではない。
【００１０】
図３は、一般的な携帯電話の電池において、１００％充電、５０％充電、２０％充電時の動作電流と電圧降下の実験値である。この特性は、電池の放電電流や電池の残容量が変化してもおよそ直線的（勾配は０．２〜０．３Ｖ／Ａ）である事を示しており、これは、基本的に電池の内部インピーダンスが安定的であることを示唆している。
【００１１】
本発明の目的は、この電池の性質を利用することにより、簡易な方法でかつ性能劣化を生ずることなく携帯電話装置を構成する各回路ブロックの動作異常を検出することが可能な手段を提供することにある。
【００１２】
本発明の他の目的は、携帯電話装置に於いて、故障が発生した場合に速やかに回路を遮断して安全を保つことにある。
【課題を解決するための手段】
【００１３】
本発明は、携帯電話装置の各動作モード実行時における電池電圧の変動を監視することにより、該動作モードを実行する回路ブロックの異常を検出することを特徴とする。
【００１４】
具体的には、本発明の携帯電話装置は、充電機能を有する電池を電源とし、消費電流の異なる複数の動作モードが設定可能な携帯電話装置において、特定の動作モードを実行したときと該特定の動作モードを実行しないときの前記電池から携帯電話装置に供給される電圧の差を検出する電圧差分検出手段と、前記電圧差分検出手段により検出された前記電圧の差が、所定の範囲外であるとき、前記特定の動作モードを停止する手段を備えていることを特徴とする。
【００１５】
また、本発明の携帯電話装置は、前記特定の動作モードを停止する手段に加えて、電源供給を遮断する手段を備えていることを特徴とする。携帯電話装置に於ける電源の供給源は、電池と充電部であり、異常を検出してその双方の電力供給を即時に遮断することが最も効果的である。
【００１６】
また本発明の携帯電話装置の異常検出方法は、充電機能を有する電池を電源とし、消費電流の異なる複数の動作モードが設定可能な携帯電話装置の異常検出方法において、特定の動作モードを実行したときと該特定の動作モードを実行しないときの前記電池から携帯電話装置に供給される電圧の差を検出し、該検出した電圧の差が所定の範囲外であるとき、前記特定の動作モードが異常であると判定することを特徴とする。
【発明の効果】
【００１７】
本発明は、携帯電話装置の各回路に異常な過大電流が流れていることを推測することを可能とし、故障による異常が有れば、各回路への電源供給を停止すると共に充電を停止することで、故障時に、より安全な携帯電話装置を提供することが出来る。
【００１８】
具体的には、受信スロットと送信スロットの両方でＡＤコンバータを起動し、受信スロットと送信スロットの両方のタイミングで電池電圧の監視を行い、受信スロットと送信スロットの電池電圧の差分を監視し、受信スロットと送信スロットの電池電圧の差分があらかじめ決められた、一定値を越えた場合、または一定値を下回った場合に、自動的に送信を停止するので、送信部が故障時における携帯電話装置の安全性を確保することができる。
【００１９】
また、電池装着時に高周波入力信号無しにて送信部を起動し、起動の前後で電池電圧を検出し、検出した電池電圧の双方の差分が、あらかじめ決められた一定値を越えた場合、または一定値を下回った場合には、送信を停止し且つ充電を停止するので、送信部が故障時における携帯電話装置の安全性を確保することができる。
【００２０】
また、電池装着時に（キー、表示、カメラ等の）照明を起動し、起動の前後で電池電圧を検出し、検出した電池電圧の双方の差分が、あらかじめ決められた一定値を越えた場合、または一定値を下回った場合には、照明をＯＦＦとし充電を停止しするので、（キー、表示、カメラ等の）照明手段が故障時における携帯電話装置の安全性を確保することができる。
【００２１】
また、各回路ブロック（照明、赤外線、他）を、起動する場合に、起動の前後で電池電圧を検出し、検出した電池電圧の双方の差分が、あらかじめ決められた一定値を越えた場合、または一定値を下回った場合には、各回路ブロック（照明、赤外線、他）をＯＦＦとし充電を停止するので、各回路ブロック（照明、赤外線、他）が故障時における携帯電話装置の安全性を確保することができる。
【００２２】
また、故障検出時に、電池本体の電源出力を遮断する機能を付加することにより、携帯電話装置の故障時における安全性を更に高めることができる。
【発明を実施するための最良の形態】
【００２３】
図４は、本発明の実施形態で用いられる携帯電話装置における電源供給部（実施例１）を示すブロック図である。なお、本実施形態の携帯電話装置の全体構成は図２に示す従来の携帯電話装置と同様であるその説明は省略する。
【００２４】
図４に示すように、電源供給部は、電源部１０６と電池１０７とＡＣアダプタ１０８からなる。ＡＣアダプタ１０８は、商用電源（ＡＣ１００Ｖ）に接続するプラグを有し、ＡＣ１００Ｖは、電源変換回路１０８１に入力され、ＤＣ６Ｖに変換されて出力される。ＤＣ６Ｖ出力は、コネクタにて、携帯電話本体の電源部１０６の充電回路１０６１に接続され、更に、充電回路１０６１の出力は、電池１０７に接続端子を介して接続され、電池１０７の充電を行う。
【００２５】
電池１０７は、電池セル１０７１とスイッチ１０７３とスイッチ１０７３の開閉を制御するＢＡＴＴ制御回路１０７２とサーミスタ１０７４により構成される。サーミスタ１０７４は、接続端子を経由して、充電回路１０６１に接続され、充電回路１０６１での電池１０７の温度検出に利用される。
【００２６】
電池セル１０７１とスイッチ１０７３は、直列に接続されており、スイッチ１０７３の開閉で、電池セル１０７１の電源出力の切断が行われる。ＢＡＴＴ制御回路１０７は、電池セル１０７１とスイッチ１０７３に接続され、充放電状態を監視し、異常を検出したときに、スイッチ１０７３を「開」として充電回路を切断する制御を行う。
【００２７】
電源部１０６は、制御部１０５（図２参照）へ接続されており、制御部１０５からの各種制御信号により動作する。制御回路１０６２は、充電回路１０６１とスイッチ１０６４、１０６５、１０６６、１０６７、１０６８と定電圧回路１０６３に接続されていて、充電制御やスイッチの開閉制御や定電圧回路の断続制御などを行う。
【００２８】
ＡＤコンバータ１０６９は、電池１０７の電源出力に接続されていて、電池電圧を監視し電圧値をデジタル値に変換して、制御回路１０６２に出力する。スイッチ１０６４は、一方が電池１０７の電源出力に接続されていて、もう一方は、無線部１０２（図２参照）の送信パワーアンプ（ＰＡ）部に接続され、送信パワーアンプ部への電源の断続を行う。
【００２９】
スイッチ１０６５は、一方が電池１０７の電源出力に接続されていて、もう一方は、キー操作部１０９（図２参照）のキー照明に接続され、キー照明への電源の断続を行う。スイッチ１０６６は、一方が電池１０７の電源出力に接続されていて、もう一方は、表示部１１０（図２参照）の表示部照明に接続され、表示部照明への電源の断続を行う。
【００３０】
スイッチ１０６７は、一方が電池１０７の電源出力に接続されていて、もう一方は、撮影部１１４（図２参照）のカメラ照明（フラッシュライト）に接続され、カメラ照明への電源の断続を行う。スイッチ１０６８は、一方が電池１０７の電源出力に接続されていて、もう一方は、ＩＲ部１０９（図２参照）の赤外線発生素子に接続され、赤外線発生素子への電源の断続を行う。
【００３１】
定電圧回路１０６３は、制御回路１０６２に接続され、制御回路１０６２の制御信号に従って動作する。定電圧回路１０６３は、電池１０７の電源出力に接続され、電池電圧を各回路ブロックに必要な安定した電圧に変換し、携帯電話装置の各回路ブロックに供給するとともに、その断続を行う、更に、制御回路１０６２へも安定した電圧の電源供給を行う。
【００３２】
本実施形態ではＴＤＭＡの携帯電話装置を対象としており、図５は本実施形態における通信中の動作タイミングを示すタイムチャートであり、図６は従来の通信中の動作タイミングを示すタイムチャートである。また図７は、本実施形態における制御部１０５の動作を示すフローチャートである。
【００３３】
図５あるいは図６に示すように、ＰＤＣ（Personal Digital Cellular）方式のようなＴＤＭＡ方式のデジタル携帯電話方式に於いては、時分割の受信データのあらかじめ決められたデータビット位置に、あらかじめデータ列の決められたシンクワード（ＳＷ）が挿入されている。デジタルベースバンド部は、パターンマッチにより、このＳＷを検出してフレーム同期を行い、受信フレーム信号を発生する。発生した受信フレーム信号は、制御部に信号バスを介して渡される。各スロットの終了タイミングで、受信完了割り込み信号や送信完了割り込み信号を発生する。
【００３４】
また、図６に示すように、従来、電池電圧監視用に備えられたＡＤコンバータ１０６９は、送信スロットのみに起動されて送信時の電池電圧ＶＴをデジタル信号に変換して制御回路１０６２に出力することにより、電池アラームや電池レベル表示に用いられている。そこで、本実施形態では、図５に示すように、受信スロットと送信スロットのほぼ中心のタイミングでＡＤ制御信号を発生し、受信時の電池電圧ＶＲと送信時の電池電圧ＶＴとをＡＤコンバータ１０６９によりそれぞれデジタルデータに変換して制御回路１０６２に出力し、両者の電圧差が所定の範囲内の値であるか否かの判定に利用する。
【００３５】
即ち本実施形態は、ＴＤＭＡの携帯電話装置において、図５に示すような通話中乃至データ通信中に受信スロットと送信スロットの両方でＡＤコンバータ１０６９を起動して、受信スロットと送信スロットの両方のタイミングで電池電圧の監視を行い、受信スロットと送信スロットの電池電圧の差分を検出し、電圧差が所定の範囲外であるときは送信部に何らかの故障があると判定する。
【００３６】
送信時には消費電流が増加し、送信ＯＮ時の増加電流値は送信電力との関係から予め分かるので、図３の放電電流と電池電圧の関係から、送信時と受信時の電池電圧の差分により送信部の電流を推定し、その差が一定値を越えた場合には、送信部に過大な電流が流れていると判定し、送信を停止する。逆に、その差が一定値を下回った場合には、送信時と受信時で推測される電流に所定の変化がないことから、（１）送信部の故障で電流が流れていないか、（２）受信中を含めて電流が流れ続けているかのいずれかであり、いずれの場合も故障が推測されるので、送信を停止する。
【００３７】
次に、図４、図５、図７を参照して、本実施形態における制御部１０５の動作について説明する。
【００３８】
通信中に、制御部１０５は、デジタルベースバンド部１０４が発生した送信時ＡＤ制御信号を受け取る（Ｓ９０１）と、制御回路１０６２から、送信時のＡＤデータを取り込み（Ｓ９０２）、該取り込んだＡＤデータを記憶する（Ｓ９０３）。その後、制御部１０５は、デジタルベースバンド部１０４が発生した送信完了信号を受け取る（Ｓ９０４）と、記憶したＡＤデータをＴＸとして、再記憶する（Ｓ９０５）。
【００３９】
次に、制御部１０５は、デジタルベースバンド部１０４が発生した受信時ＡＤ制御信号を受け取る（Ｓ９０６）と、制御回路１０６２から、受信時ＡＤデータを取り込み（Ｓ９０７）、該取り込んだＡＤデータを記憶する（Ｓ９０８）。その後、制御部１０５は、デジタルベースバンド部１０４が発生した受信完了信号を受け取る（Ｓ９０９）と、演算処理により、記憶した受信時ＡＤデータからＴＸを減算して△Ｖを求める（Ｓ９１０）。
【００４０】
そして、制御部１０５は、あらかじめ記憶されている比較電圧値Ｖ１とＶ２（Ｖ１＞Ｖ２）により、△Ｖ＞Ｖ１であるかまたは△Ｖ＜Ｖ２であるかの比較論理演算を行い（Ｓ９１１）、その結果が、ＮＯであれば、Ｓ９０１に戻る。一方、その結果がＹＥＳであれば、制御部１０５は、送信動作を停止し（Ｓ９１２）、さらに、充電動作を停止する（Ｓ９１３）。
【００４１】
この場合、比較電圧値Ｖ１とＶ２は次のように設定される。即ち、本実施形態の携帯電話装置では、送信ＯＮ時の増加電流は、約０．５Ａである。一方、図３から、一般的な携帯電話の電池の電流と電圧降下特性は、電池の放電電流や電池の残容量が変化してもおよそ直線的であり、最大勾配では、０．３（Ｖ／Ａ）であるので、０．５Ａの増加では、０．１５Ｖとなる。そこで、安全率を考慮し（本発明では、安全率＝２）Ｖ１＝０．３Ｖとする。又、Ｖ２＝０．０７５Ｖとする。また本発明では、ＡＤコンバータは、０．０１Ｖ／デジットを用いているので、Ｖ１（＝０．３Ｖ）＝３０デジット、Ｖ２（＝０．０７５Ｖ）＝７デジットとなる。
【００４２】
なお、比較電圧値Ｖ１とＶ２は、送信出力電力制御により送信レベルが異なる場合には、送信レベル毎に別々の値を設定することも可能である。
【００４３】
図８は、本発明における制御部１０５の、第２の実施形態の動作を示すフローチャートである。本実施形態では、制御部１０５は電池装着時に以下の動作を行う。なお、本実施形態以降の携帯電話装置は、ＴＤＭＡ方式のデジタル携帯電話方式に限定されるものではなく、ＣＤＭＡ方式の携帯電話等、適宜の携帯電話装置に適用可能である。
【００４４】
電池装着時に、制御部１０５は、制御回路１０６２から、ＡＤデータを取り込み（Ｓ１００１）、該取り込んだＡＤデータを記憶する（Ｓ１００２）。制御部１０５は、さらに記憶したＡＤデータをＰとして、再記憶する（Ｓ１００３）。次に、制御部１０５は、変調部をＯＦＦとしたままで、送信電力増幅部（ＰＡ）のみを電源ＯＮとして（Ｓ１００４）、制御回路１０６２から、ＡＤデータを取り込み（Ｓ１００５）、該取り込んだＡＤデータを記憶する（Ｓ１００６）。
【００４５】
次に、制御部１０５は、演算処理により、記憶したＰから該取り込んだＡＤデータを減算して△Ｖを求める（Ｓ１００７）。そして、制御部１０５は、あらかじめ記憶されている比較電圧値Ｖ１とＶ２（Ｖ１＞Ｖ２）により、△Ｖ＞Ｖ１であるかまたは△Ｖ＜Ｖ２であるかの比較論理演算を行い（Ｓ１００８）、その結果が、ＮＯであれば次の処理に移行する。一方、その結果がＹＥＳであれば、制御部１０５は、送信動作を停止し（Ｓ１００９）、充電動作を停止し（Ｓ１０１０）、携帯電話装置への供給電源（定電圧回路１０６３の出力）をＯＦＦとする（Ｓ１０１１）。なお、比較電圧値Ｖ１、Ｖ２の決定方法は、図７での実施形態と同様である。
【００４６】
図９は、本発明における制御部１０５の、第３の実施形態の動作を示すフローチャートである。本実施形態では、制御部１０５は電池装着時に以下の動作を行う。
【００４７】
電池装着時に、制御部１０５は、制御回路１０６２から、ＡＤデータを取り込み（Ｓ１１０１）、該取り込んだＡＤデータを記憶する（Ｓ１１０２）。制御部１０５は、さらに記憶したＡＤデータをＰとして、再記憶する（Ｓ１１０３）。次に、制御部１０５は、キーと表示部とカメラの照明（フラッシュライト）をＯＮにして（Ｓ１１０４）、制御回路１０６２から、ＡＤデータを取り込み（Ｓ１１０５）、該取り込んだＡＤデータを記憶する（Ｓ１１０６）。
【００４８】
次に、制御部１０５は、演算処理により、記憶したＰから該取り込んだＡＤデータを減算して△Ｖを求める（Ｓ１１０７）。そして、制御部１０５は、あらかじめ記憶されている比較電圧値Ｖ１とＶ２（Ｖ１＞Ｖ２）により、△Ｖ＞Ｖ１であるかまたは△Ｖ＜Ｖ２であるかの比較論理演算を行い（Ｓ１１０８）、その結果が、ＮＯであれば次の処理へ移行する。一方、その結果がＹＥＳであれば、制御部１０５は、キーと表示とカメラの照明をＯＦＦとし（Ｓ１１０９）、充電を停止し（Ｓ１１１０）、携帯電話装置の電源をＯＦＦとする（Ｓ１１１１）。
【００４９】
本実施形態の場合には、比較電圧値Ｖ１とＶ２は次のように設定される。即ち、本発明の携帯電話装置では、キーと表示とカメラの照明の合計は、０．６Ａである。図３より、最大勾配では、０．３（Ｖ／Ａ）であるので、０．６Ａの増加では、０．１８Ｖとなる。安全率を考慮し（本発明では、安全率＝２）Ｖ１＝０．３６Ｖとする。又、Ｖ２＝０．０９Ｖとする。本発明では、ＡＤコンバータは、０．０１Ｖ／デジットを用いているので、Ｖ１（＝０．３６Ｖ）＝３６デジット、Ｖ２（＝０．０９Ｖ）＝９デジットである。
【００５０】
図１０は、本発明における制御部１０５の、第４の実施形態の動作を示すフローチャートである。本実施形態では、制御部１０５は電池装着時に以下の動作を行う。
【００５１】
電池装着時に、制御部１０５は、制御回路１０６２から、ＡＤデータを取り込み（Ｓ１２０１）、該取り込んだＡＤデータを記憶する（Ｓ１２０２）。制御部１０５は、さらに記憶したＡＤデータをＰとして、再記憶する（Ｓ１２０３）。次に、制御部１０５は、ＩＲ（赤外線）をＯＮにして（Ｓ１２０４）、制御回路１０６２から、ＡＤデータを取り込み（Ｓ１２０５）、該取り込んだＡＤデータを記憶する（Ｓ１２０６）。
【００５２】
次に、制御部１０５は、演算処理により、記憶したＰから該取り込んだＡＤデータを減算して△Ｖを求める（Ｓ１２０７）。そして、制御部１０５は、あらかじめ記憶されている比較電圧値Ｖ１とＶ２（Ｖ１＞Ｖ２）により、△Ｖ＞Ｖ１であるかまたは△Ｖ＜Ｖ２であるかの比較論理演算を行い（Ｓ１２０８）、その結果が、ＮＯであれば次の処理へ移行する。一方、その結果がＹＥＳであれば、制御部１０５は、ＩＲをＯＦＦとし（Ｓ１２０９）、充電を停止し（Ｓ１２１０）、携帯電話装置の電源をＯＦＦとする（Ｓ１２１１）。
【００５３】
本実施形態の場合には、比較電圧値Ｖ１とＶ２は次のように設定される。即ち、本発明の携帯電話装置では、ＩＲ（赤外線）は、０．５Ａである、図３より、最大勾配では、０．３（Ｖ／Ａ）であるので、０．５Ａの増加では、０．１５Ｖとなる。安全率を考慮し（本発明では、安全率＝２）Ｖ１＝０．３Ｖとする。又、Ｖ２＝０．０７５Ｖとする。本発明では、ＡＤコンバータは、０．０１Ｖ／デジットを用いているので、Ｖ１（＝０．３６Ｖ）＝３６デジット、Ｖ２（＝０．０７５Ｖ）＝７デジットである。
【００５４】
図１１は、本発明における制御部１０５の、第５の実施形態の動作を示すフローチャートである。本実施形態では、制御部１０５は照明点灯時に以下の動作を行う。
【００５５】
制御部１０５は、制御回路１０６２から、ＡＤデータを取り込み（Ｓ３１０１）、該取り込んだＡＤデータを記憶する（Ｓ１３０２）。制御部１０５は、さらに記憶したＡＤデータをＰとして、再記憶する（Ｓ１３０３）。次に、制御部１０５は、キー又は表示部又はカメラの照明（フラッシュライト）をＯＮにして（Ｓ１３０４）、制御回路１０６２から、そのときのＡＤデータを取り込み（Ｓ１３０５）、該取り込んだＡＤデータを記憶する（Ｓ１３０６）。
【００５６】
次に、制御部１０５は、演算処理により、記憶したＰから該取り込んだＡＤデータを減算して△Ｖを求める（Ｓ１３０７）。そして、制御部１０５は、あらかじめ記憶されている比較電圧値Ｖ１とＶ２（Ｖ１＞Ｖ２）により、△Ｖ＞Ｖ１であるかまたは△Ｖ＜Ｖ２であるかの比較論理演算を行い（Ｓ１３０８）、その結果が、ＮＯであれば次の処理へ移行する。一方、その結果がＹＥＳであれば、制御部１０５は、キー又は表示又はカメラの照明をＯＦＦとし（Ｓ１３０９）、充電を停止し（Ｓ１３１０）、携帯電話装置の電源をＯＦＦとする（Ｓ１３１１）。
【００５７】
本実施形態の場合には、比較電圧値Ｖ１とＶ２は、照明毎に次のように設定される。
（１）キー照明
本発明の携帯電話装置では、キー照明は、０．０６Ａである。図３より、最大勾配では、０．３（Ｖ／Ａ）であるので、０．０６Ａの増加では、０．０１８Ｖとなる。安全率を考慮し（本発明では、安全率＝２）、Ｖ１＝０．０３６Ｖとする。又、Ｖ２＝０．００９Ｖとする。本発明では、ＡＤコンバータは、０．０１Ｖ／デジットを用いているので、Ｖ１（＝０．０３６Ｖ）＝４デジット、Ｖ２（＝０．００９Ｖ）＝１デジットである。
【００５８】
（２）表示照明
本発明の携帯電話装置では、表示（ＬＣＤ）照明は、０．１Ａである。図３より、最大勾配では、０．３（Ｖ／Ａ）であるので、０．１Ａの増加では、０．０３Ｖとなる。安全率を考慮し（本発明では、安全率＝２）Ｖ１＝０．０６Ｖとする。又、Ｖ２＝０．０１５Ｖとする。本発明では、ＡＤコンバータは、０．０１Ｖ／デジットを用いているので、Ｖ１（＝０．０６Ｖ）＝６デジット、Ｖ２（＝０．０１５Ｖ）＝１デジットである。
【００５９】
（３）カメラ照明（フラッシュライト）
本発明の携帯電話装置では、カメラ照明（フラッシュライト）は、０．４４Ａである。図３より、最大勾配では、０．３（Ｖ／Ａ）であるので、０．４４Ａの増加では、０．１３２Ｖとなる。安全率を考慮し（本発明では、安全率＝２）、Ｖ１＝０．２６４Ｖとする。又、Ｖ２＝０．０６６Ｖとする。本発明では、ＡＤコンバータは、０．０１Ｖ／デジットを用いているので、Ｖ１（＝０．２６４Ｖ）＝２６デジット、Ｖ２（＝０．０６６Ｖ）＝６デジットである。
【００６０】
図１２は、本発明における制御部１０５の、第６の実施形態の動作を示すフローチャートである。本実施形態では、制御部１０５はＩＲ（赤外線）送出時に以下の動作を行う。
【００６１】
制御部１０５は、制御回路１０６２から、ＡＤデータを取り込み（Ｓ１４０１）、該取り込んだＡＤデータを記憶する（Ｓ１４０２）。制御部１０５は、さらに記憶したＡＤデータをＰとして、再記憶する（Ｓ１４０３）。次に、制御部１０５は、ＩＲ（赤外線）をＯＮにして（Ｓ１４０４）、制御回路１０６２から、このときのＡＤデータを取り込み（Ｓ１４０５）、該取り込んだＡＤデータを記憶する（Ｓ１４０６）。
【００６２】
次に、制御部１０５は、演算処理により、記憶したＰから該取り込んだＡＤデータを減算して△Ｖを求める（Ｓ１４０７）。そして、制御部１０５は、あらかじめ記憶されている比較電圧値Ｖ１とＶ２（Ｖ１＞Ｖ２）により、△Ｖ＞Ｖ１であるかまたは△Ｖ＜Ｖ２であるかの比較論理演算を行い（Ｓ１４０８）、その結果が、ＮＯであれば次の処理へ移行する。一方、その結果がＹＥＳであれば、制御部１０５は、ＩＲをＯＦＦとし（Ｓ１４０９）、充電を停止し（Ｓ１４１０）、携帯電話装置の電源をＯＦＦとする（Ｓ１４１１）。
【００６３】
本実施形態の場合には、比較電圧値Ｖ１とＶ２は次のように設定される。即ち、本発明の携帯電話装置では、ＩＲ（赤外線）は、０．５Ａである。図３より、最大勾配では、０．３（Ｖ／Ａ）であるので、０．５Ａの増加では、０．１５Ｖとなる。安全率を考慮し（本発明では、安全率＝２）Ｖ１＝０．３Ｖとする。又、Ｖ２＝０．０７５Ｖとする。本発明では、ＡＤコンバータは、０．０１Ｖ／デジットを用いているので、Ｖ１（＝０．３６Ｖ）＝３６デジット、Ｖ２（＝０．０７５Ｖ）＝７デジットである。
【００６４】
図１３は、本発明の実施形態で用いられる携帯電話装置における電源供給部の別の実施例（実施例２）を示すブロック図である。
【００６５】
実施例２では、図４に示す実施例１の電源供給部において、電池１０７に、ＢＡＴＴ制御回路１０７２を外部より制御するための制御端子を追加したことを特徴としている。ＢＡＴＴ制御回路１０７２の外部制御入力は、外部制御端子を介して電源部１０６の制御回路１０６２に接続されている。その為この実施例では、携帯電話装置本体より、電池１０７を制御可能となっている。それ以外の構成は図４（実施例１）と同様である。
【００６６】
具体的には、電池１０７の電池保護回路制御部（ＢＡＴＴ制御回路１０７２）を制御する第一の端子１０６０を有する携帯電話装置本体と、外部からの電池保護回路制御部１０７２を制御可能な第二の端子１０７０を有する電池１０７とを備え、携帯電話装置本体に電池１０７を装着したときに第一の端子１０６０と第二の端子１０７０が接続される構成とし、携帯電話装置本体からの制御信号により、電池１０７の電源出力を遮断する機能が付加されている。
【００６７】
次に、図１３を参照して、実施例２の動作について説明する。携帯電話装置本体の制御部１０５は、実施例１で説明したような手段で各回路ブロックの異常を検出すると、電源部１０６の制御回路１０６２を介して電池１０７のＢＡＴＴ制御回路１０７２を制御し、電池１０７のスイッチ１０７３を開放することにより、電池からの電源供給を遮断する。
【００６８】
具体的には、
（１）図７に示す第１の実施形態におけるフローチャートのＳ９１３の後に制御部１０５は、電池の電源供給を遮断する、
（２）図８に示す第２の実施形態におけるフローチャートのＳ１０１０の後に制御部１０５は、電池の電源供給を遮断する、
（３）図９に示す第３の実施形態におけるフローチャートのＳ１１１０の後に制御部１０５は、電池の電源供給を遮断する、
（４）図１０に示す第４の実施形態におけるフローチャートのＳ１２１０の後に制御部１０５は、電池の電源供給を遮断する、
（５）図１１に示す第５の実施形態におけるフローチャートのＳ１３１０の後に制御部１０５は、電池の電源供給を遮断する、
（６）図１２に示す第６の実施形態におけるフローチャートのＳ１４１０の後に制御部１０５は、電池の電源供給を遮断する。
【００６９】
実施例１では、従来の回路機能を用いて、動作制御により故障時の安全性を図っているが、実施例２では、電力供給源である電池の電源供給を遮断する回路と機能を付加することで故障時の安全性を更に高めた携帯電話装置を提供することができる。
【００７０】
図１４は、本発明の実施形態で用いられる携帯電話装置における電源供給部の別の実施例（実施例３）を示すブロック図である。
【００７１】
実施例２では、携帯電話装置本体から電池の保護回路を制御するために、新たに制御端子１０６０、１０７０を設けているが、新たな端子を設けることは、携帯電話装置で重要な小型化に反し且つコストアップになるという不具合が生じる。そこで、実施例３では、制御端子機能をサーミスタ端子で兼用することで、上述の不具合を解消する。
【００７２】
実施例３では、図１４に示すように、電池１０７のサーミスタ１０７４をＢＡＴＴ制御回路１０７２に接続し、更に、電源部１０６の制御回路１０６２に接続している。電源部１０６の制御回路１０６２は、制御部１０５から、電池電源遮断の信号を受けると、サーミスタ１０７４に接続された端子をＧＮＤに接続する。具体的には、ＦＥＴのオープンドレインのドレイン乃至トランジスタのオープンコレクタのコレクタをサーミスタ１０７４に接続しておいてＦＥＴのＳ−Ｄ間乃至トランジスタＥ−Ｃ間をＯＮとすることで実現する。
【００７３】
電池１０７のＢＡＴＴ制御回路１０７２は、サーミスタ１０７４に接続された端子がＬＯＷ電位になったことを検出するとスイッチ１０７３を開放する制御を行うことで電池からの電源供給を遮断する。（サーミスタ１０７１は、充電回路１０６１でプルアップされているので、通常時は、ＨＩＧＨ電位となっている）。携帯電話装置の故障時の保護動作は実施例２と同様である。
【００７４】
実施例３では、電池１０７の保護回路制御部１０７２を制御する制御端子を、電池の温度を検出して保護回路制御部１０７２を制御するために電池１０７内に設けられているサーミスタ端子と共用しているので、実施例２の機能を携帯電話装置で重要な小型化とコストダウンを図りつつ実現することが可能となる。
【図面の簡単な説明】
【００７５】
【図１】携帯電話機の外観を示す図である。
【図２】図１に示す携帯電話装置の回路ブロック構成の一例を示す図である。
【図３】一般的な携帯電話の電池における、１００％充電、５０％充電、２０％充電時の動作電流と電圧降下の実験値である。
【図４】本発明の実施形態で用いられる携帯電話装置における電源供給部を示すブロック図である。
【図５】本発明の第１の実施形態における動作タイミングを示すタイムチャートである。
【図６】従来の動作タイミングを示すタイムチャートである。
【図７】本発明の第１の実施形態の動作を示すフローチャートである。
【図８】本発明の第２の実施形態の動作を示すフローチャートである。
【図９】本発明の第３の実施形態の動作を示すフローチャートである。
【図１０】本発明の第４の実施形態の動作を示すフローチャートである。
【図１１】本発明の第５の実施形態の動作を示すフローチャートである。
【図１２】本発明の第６の実施形態の動作を示すフローチャートである。
【図１３】本発明の実施形態で用いられる携帯電話装置における電源供給部を示す別のブロック図である。
【図１４】本発明の実施形態で用いられる携帯電話装置における電源供給部を示す別のブロック図である。
【符号の説明】
【００７６】
１、２  ケース
３  ヒンジ
１０１  アンテナ
１０２  無線部
１０３  アナログベースバンド部
１０４  デジタルベースバンド部
１０５  制御部
１０６  電源部
１０７  電池
１０８  ＡＣアダプタ
１０９  キー操作部
１１０  表示部
１１１  マイク
１１２  スピーカ
１１３  レシーバ
１１４  撮影部
１１５  ＩＲ部
１０６０  第１の制御端子
１０６１  充電回路
１０６２  制御回路
１０６３  定電圧回路
１０６４〜１０６８、１０７３  スイッチ
１０６９  Ａ／Ｄコンバータ
１０７０  第２の制御端子
１０７１  電池セル
１０７２  ＢＡＴＴ制御回路
１０７４  サーミスタ
１０８１  電源変換回路
【図１】
2005033655.tif 000003
【図２】
2005033655.tif 000004
【図３】
2005033655.tif 000005
【図４】
2005033655.tif 000006
【図５】
2005033655.tif 000007
【図６】
2005033655.tif 000008
【図７】
2005033655.tif 000009
【図８】
2005033655.tif 000010
【図９】
2005033655.tif 000011
【図１０】
2005033655.tif 000012
【図１１】
2005033655.tif 000013
【図１２】
2005033655.tif 000014
【図１３】
2005033655.tif 000015
【図１４】
2005033655.tif 000016